【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
パケットを通信する方法であって、
無線ローカルエリアネットワークを介する送信のためにデータパケットを、ソースデバイスで、生成することと、前記データパケットは、プリアンブルとデータペイロードを含み、前記プリアンブルは、第１の部分と、前記第１の部分に先行するレガシープリアンブル部分とを含み、前記第１の部分は、前記データパケットが、低レートパケットであることを示し、前記データペイロードは、前記データペイロードにおいて複数回複製される少なくとも１つのデータシンボルを含み、
前記無線ネットワークを介して前記ソースデバイスから宛先デバイスに前記データパケットを送信することと、
を備える、方法。
【請求項２】
前記少なくとも１つのデータシンボルは、前記データパケットと関連付けられた周波数帯の複数のサブバンドにわたって、または前記データパケットと関連付けられた複数の時間期間にわたって複製される、請求項１に記載の方法。
【請求項３】
前記データパケットは、米国電気電子学会（ＩＥＥＥ）８０２．１１ａのデータパケット、ＩＥＥＥ  ８０２．１１ｇのデータパケット、またはＩＥＥＥ  ８０２．１１ｎのデータパケットを通信するために使用される第２の数のトーンより大きい第１の数のトーンを使用して通信される、請求項１に記載の方法。
【請求項４】
前記レガシープリアンブル部分は、米国電気電子学会（ＩＥＥＥ）８０２．１１ａ、ＩＥＥＥ  ８０２．１１ｇ、またはＩＥＥＥ  ８０２．１１ｎに従う特定のプリアンブルを含む、請求項１に記載の方法。
【請求項５】
前記データパケットは、２０メガヘルツ（ＭＨｚ）周波数帯域を使用して通信される、請求項３に記載の方法。
【請求項６】
前記第１の数のトーンは、２５６個のトーンに対応する、請求項５に記載の方法。
【請求項７】
前記第１の部分は、ショートトレーニングフィールド、ロングトレーニングフィールド、および信号フィールドを含む、請求項１に記載の方法。
【請求項８】
前記ショートトレーニングフィールドの周期性は、前記低レートパケットを示す、請求項７に記載の方法。
【請求項９】
前記ロングトレーニングフィールドの直交系列は、前記低レートパケットを示す、請求項７に記載の方法。
【請求項１０】
前記第１の部分は、前記ショートトレーニングフィールド、または前記ロングトレーニングフィールドのうちの少なくとも１つに対応し、前記第１の部分は、前記データパケットにおいて複数回複製されない、請求項７に記載の方法。
【請求項１１】
前記データパケットは、第１の因数によってレガシーデータパケットを通信するために使用される第２の数のトーンより大きい第１の数のトーンに分割される２０メガヘルツ（ＭＨｚ）周波数帯域を使用して通信され、前記レガシーデータパケットは、前記第２の数のトーンに分割される２０ＭＨｚ周波数帯域を使用して通信されるように構成され、前記レガシーデータパケットは、米国電気電子学会（ＩＥＥＥ）８０２．１１ａのデータパケット、ＩＥＥＥ  ８０２．１１ｇのデータパケット、ＩＥＥＥ  ８０２．１１ｎのデータパケット、またはＩＥＥＥ  ８０２．１１ａｃのデータパケットを備える、請求項１に記載の方法。
【請求項１２】
前記データパケットは、６４個のトーンに分割される５メガヘルツ（ＭＨｚ）周波数帯域を使用して通信される、請求項１に記載の方法。
【請求項１３】
命令を備える非一時的なコンピュータ可読媒体であって、前記命令は、コンピュータによって実行されるとき、前記コンピュータに、
無線ローカルエリアネットワークを介する送信のためにデータパケットを、ソースデバイスで、生成することと、前記データパケットは、プリアンブルとデータペイロードを含み、前記プリアンブルは、第１の部分と、前記第１の部分に先行するレガシープリアンブル部分とを含み、前記第１の部分は、前記データパケットが、低レートパケットであることを示し、前記データペイロードは、前記データペイロードにおいて複数回複製される少なくとも１つのデータシンボルを含み、
前記無線ネットワークを介して前記ソースデバイスから宛先デバイスに前記データパケットを送信することと、
を備える動作を実行させる、非一時的なコンピュータ可読媒体。
【請求項１４】
前記データパケットは、２０メガヘルツ（ＭＨｚ）周波数帯域を使用して通信される、請求項１３に記載の非一時的なコンピュータ可読媒体。
【請求項１５】
前記第１の部分は、ショートトレーニングフィールドを含み、前記ショートトレーニングフィールドの周期性は、前記低レートパケットを示す、請求項１３に記載の非一時的なコンピュータ可読媒体。
【請求項１６】
前記第１の部分は、ロングトレーニングフィールドを含み、前記ロングトレーニングフィールドの直交系列は、前記低レートパケットを示す、請求項１３に記載の非一時的なコンピュータ可読媒体。
【請求項１７】
前記データパケットのデータレートは、約１．５メガビット毎秒（Ｍｂｐｓ）と１．６２５Ｍｂｐｓの間である、請求項１３に記載の非一時的なコンピュータ可読媒体。
【請求項１８】
前記データパケットのデータシンボルは、二位相シフトキーイング（ＢＰＳＫ）変調され、米国電気電子学会（ＩＥＥＥ）８０２．１１ａのデータパケット、ＩＥＥＥ  ８０２．１１ｇのデータパケット、ＩＥＥＥ  ８０２．１１ｎのデータパケット、またはＩＥＥＥ  ８０２．１１ａｃのデータパケットのレガシーＢＰＳＫコーディングレート未満である第１のコーディングレートでコード化される、請求項１３に記載の非一時的なコンピュータ可読媒体。
【請求項１９】
前記データシンボルは、２５６個のトーンを使用して通信される、請求項１８に記載の非一時的なコンピュータ可読媒体。
【請求項２０】
前記動作は、前記宛先デバイスが、前記データパケットの肯定応答受信をしそこねたことの決定に応答して送信のための第２のデータパケットを生成することをさらに備え、ここにおいて、前記第２のデータパケットのデータシンボルは、ＢＰＳＫ変調され、前記第１のコーディングレート未満である第２のコーディングレートでコード化される、請求項１８に記載の非一時的なコンピュータ可読媒体。
【請求項２１】
装置であって、
プロセッサと、
無線ローカルエリアネットワークを介する送信のためにデータパケットを、ソースデバイスで、生成することと、前記データパケットは、プリアンブルとデータペイロードを含み、前記プリアンブルは、第１の部分と、前記第１の部分に先行するレガシープリアンブルとを含み、前記第１の部分は、前記データパケットが、低レートパケットであることを示し、前記データペイロードは、前記データペイロードにおいて複数回複製される少なくとも１つのデータシンボルを含み、
前記無線ネットワークを介して前記ソースデバイスから宛先デバイスに前記データパケットを送信することと、
を備える、動作を実行するための前記プロセッサによって実行可能な命令を記憶するメモリと
を備える、装置。
【請求項２２】
前記データパケットは、複製された信号フィールドおよびデータフィールドを含む、請求項２１に記載の装置。
【請求項２３】
前記データパケットは、レガシーデータパケットを通信するために使用されるトーンより小さい帯域幅を有するトーンを使用して通信され、前記データパケットの信号フィールドおよびデータフィールドのためのコードレートは、前記レガシーデータパケットのためのレガシーコードレートより低い、請求項２１に記載の装置。
【請求項２４】
前記データパケットは、３個以上のシンボルを含むロングトレーニングフィールドを含み、ここにおいて、前記ロングトレーニングフィールドは、前記データパケットの中の信号フィールドに先行する、請求項２１に記載の装置。
【請求項２５】
装置であって、
無線ローカルエリアネットワークを介して送信されるためのデータパケットを生成するための手段と、前記データパケットは、プリアンブルとデータペイロードを含み、前記プリアンブルは、第１の部分と、前記第１の部分に先行するレガシープリアンブル部分とを含み、前記第１の部分は、前記データパケットが、低レートパケットであることを示し、前記データペイロードは、前記データペイロードにおいて複数回複製される少なくとも１つのデータシンボルを含み、
前記無線ネットワークを介して前記データパケットを送信するための手段と、
を備える、装置。
【請求項２６】
前記レガシープリアンブル部分は、レガシーデバイスに、前記データパケットが通信される時間期間の間、前記無線ローカルエリアネットワークを介する通信を控えさせるために前記レガシーデバイスによってデコード可能である、請求項２５に記載の装置。
【請求項２７】
前記無線ローカルエリアネットワークは、高効率Ｗｉ−Ｆｉ（ＨＥＷ）無線ネットワークを備え、前記レガシーデバイスは、米国電気電子学会（ＩＥＥＥ）８０２．１１ａ規格、ＩＥＥＥ  ８０２．１１ｇ規格、ＩＥＥＥ  ８０２．１１ｎ規格、または任意のそれらの組み合わせと互換性がある、請求項２６に記載の装置。
【請求項２８】
前記第１の部分は、ショートトレーニングフィールドを備え、前記プリアンブルは、前記第１の部分によって先行される第２の部分を含み、前記第２の部分は、ロングトレーニングフィールドを備える、請求項２５に記載の装置。
【請求項２９】
前記データパケットは、ショートトレーニングフィールドを含み、前記データパケットの前記ショートトレーニングフィールドは、複数のトーンを使用して送信され、前記複数のトーンは、前記第１の因数未満である第２の因数に基づく、請求項１１に記載の方法。
【請求項３０】
前記動作は、前記宛先デバイスへの前記データパケットの送信の後に、前記宛先デバイスが、前記データパケットの肯定応答受信をしそこねたことの決定に応答して送信のための第２のデータパケットを生成することをさらに備え、前記第２のデータパケットの第２のデータシンボルは、前記データパケットの前記データシンボルの第１のコーディングレート未満である第２のコーディングレートでコード化される、請求項１３に記載の非一時的なコンピュータ可読媒体。
【手続補正２】
【補正対象書類名】明細書
【補正対象項目名】００８９
【補正方法】変更
【補正の内容】
【００８９】
[0099]  開示された実施形態の先の説明は、当業者が開示された実施形態を製造または使用することを可能にするために提供される。これらの実施形態への様々な修正は、当業者に容易に明らかであり、本明細書に定義された原理は、本開示の範囲から逸脱することなく他の実施形態に応用され得る。したがって、本開示は、本明細書に示された実施形態に限定されることを意図されず、下記の特許請求の範囲によって定義されるような原理および新規な特徴と一致する可能である最も広い範囲を与えられるべきである。
以下に、本願出願の当初の特許請求の範囲に記載された発明を付記する。
［Ｃ１］
方法であって、
米国電気電子学会（ＩＥＥＥ）８０２．１１の無線ネットワークを介する送信のためにデータパケットを、ソースデバイスで、生成することと、ここにおいて、前記データパケットは、前記データパケットの中で複製される複数のデータシンボルを含み、前記データパケットのプリアンブルの少なくとも一部は、前記データパケットの中で複製されず、前記プリアンブルの前記一部は、前記パケットが、低レートモードのパケットであることを示し、
前記無線ネットワークを介して前記ソースデバイスから宛先デバイスに前記データパケットを送信することと、
を備える、方法。
［Ｃ２］
前記複数のデータシンボルは、前記データパケットと関連付けられた周波数帯にわたって、または前記データパケットと関連付けられた時間期間にわたって複製される、Ｃ１に記載の方法。
［Ｃ３］
前記データパケットは、レガシーデータパケットを通信するために使用される第２の数のトーンより大きい第１の数のトーンを使用して通信される、Ｃ１に記載の方法。
［Ｃ４］
前記レガシーデータパケットは、ＩＥＥＥ  ８０２．１１ａのデータパケット、ＩＥＥＥ  ８０２．１１ｇのデータパケット、ＩＥＥＥ  ８０２．１１ｎのデータパケット、またはＩＥＥＥ  ８０２．１１ａｃのデータパケットを含む、Ｃ３に記載の方法。
［Ｃ５］
前記データパケットは、２０メガヘルツ（ＭＨｚ）のデータパケットであり、前記レガシーデータパケットは、２０ＭＨｚのデータパケットである、Ｃ３に記載の方法。
［Ｃ６］
前記第１の数のトーンは、２５６個のトーンに対応する、Ｃ５に記載の方法。
［Ｃ７］
前記プリアンブルは、ショートトレーニングフィールド、ロングトレーニングフィールド、および信号フィールドを含む、Ｃ１に記載の方法。
［Ｃ８］
前記ショートトレーニングフィールドの周期性は、前記低レートモードを示す、Ｃ７に記載の方法。
［Ｃ９］
前記ロングトレーニングフィールドの直交系列は、前記低レートモードを示す、Ｃ７に記載の方法。
［Ｃ１０］
前記プリアンブルの前記一部は、前記ショートトレーニングフィールド、または前記ロングトレーニングフィールドのうちの少なくとも１つに対応する、Ｃ７に記載の方法。
［Ｃ１１］
前記データパケットは、第１の因数によって２０メガヘルツ（ＭＨｚ）のレガシーデータパケットを通信するために使用される第２の数のトーンより大きい第１の数のトーンを使用して通信される２０ＭＨｚのデータパケットであり、ここにおいて、データパケットは、前記第１の因数未満である第２の因数によって周波数補正能力を低減するショートトレーニングフィールドを含む、Ｃ１に記載の方法。
［Ｃ１２］
前記データパケットは、６４個のトーンを使用して通信される５メガヘルツ（ＭＨｚ）のデータパケットである、Ｃ１に記載の方法。
［Ｃ１３］
前記データパケットのデータレートは、約１．５メガビット毎秒（Ｍｂｐｓ）と１．６２５Ｍｂｐｓの間である、Ｃ１に記載の方法。
［Ｃ１４］
命令を備える非一時的なコンピュータ可読媒体であって、前記命令は、コンピュータによって実行されるとき、前記コンピュータに、
米国電気電子学会（ＩＥＥＥ）８０２．１１の無線ネットワークを介する送信のためにデータパケットを、ソースデバイスで、生成することと、ここにおいて、前記データパケットは、前記データパケットの中で複製される複数のデータシンボルを含み、前記データパケットのプリアンブルの少なくとも一部は、前記データパケットの中で複製されず、前記プリアンブルの前記一部は、前記パケットが、低レートモードのパケットであることを示し、
前記無線ネットワークを介して前記ソースデバイスから宛先デバイスに前記データパケットを送信することと、
を備える動作を実行させる、非一時的なコンピュータ可読媒体。
［Ｃ１５］
前記データパケットは、２０メガヘルツ（ＭＨｚ）のデータパケットである、Ｃ１４に記載の非一時的なコンピュータ可読媒体。
［Ｃ１６］
前記プリアンブルは、ショートトレーニングフィールド、ロングトレーニングフィールド、および信号フィールドを含む、Ｃ１４に記載の非一時的なコンピュータ可読媒体。
［Ｃ１７］
前記ショートトレーニングフィールドの周期性は、低レートモードを示す、Ｃ１６に記載の非一時的なコンピュータ可読媒体。
［Ｃ１８］
前記ロングトレーニングフィールドの直交系列は、低レートモードを示す、Ｃ１６に記載の非一時的なコンピュータ可読媒体。
［Ｃ１９］
前記データパケットのデータレートは、約１．５メガビット毎秒（Ｍｂｐｓ）と１．６２５Ｍｂｐｓの間である、Ｃ１４に記載の非一時的なコンピュータ可読媒体。
［Ｃ２０］
前記データパケットのデータシンボルは、二位相シフトキーイング（ＢＰＳＫ）変調され、レガシーデータパケットのレガシーＢＰＳＫコーディングレート未満である第１のコーディングレートでコード化される、Ｃ１４に記載の非一時的なコンピュータ可読媒体。
［Ｃ２１］
前記データシンボルは、２５６個のトーンを使用して通信される、Ｃ２０に記載の非一時的なコンピュータ可読媒体。
［Ｃ２２］
前記動作は、前記宛先デバイスが、前記データパケットに肯定応答しそこねたことの決定に応答して送信のための第２のデータパケットを生成することをさらに備え、ここにおいて、前記第２のデータパケットのデータシンボルは、ＢＰＳＫ変調され、前記第１のコーディングレート未満である第２のコーディングレートでコード化される、Ｃ２０に記載の非一時的なコンピュータ可読媒体。
［Ｃ２３］
装置であって、
プロセッサと、
米国電気電子学会（ＩＥＥＥ）８０２．１１の無線ネットワークを介する送信のためにデータパケットを、ソースデバイスで、生成することと、ここにおいて、前記データパケットは、前記データパケットの中で複製される複数のデータシンボルを含み、前記データパケットのプリアンブルの少なくとも一部は、前記データパケットの中で複製されず、前記プリアンブルの前記一部は、前記パケットが、低レートモードのパケットであることを示し、
前記無線ネットワークを介して前記ソースデバイスから宛先デバイスに前記データパケットを送信することと、
を備える、動作を実行するための前記プロセッサによって実行可能な命令を記憶するメモリと
を備える、装置。
［Ｃ２４］
前記データパケットは、レガシーデータパケットを通信するために使用されるトーンより小さい帯域幅を有するトーンを使用して通信される、Ｃ２３に記載の装置。
［Ｃ２５］
前記データパケットは、複製された信号フィールドおよびデータフィールドを含む、Ｃ２４に記載の装置。
［Ｃ２６］
前記データパケットの信号フィールドおよびデータフィールドのためのコードレートは、前記レガシーデータパケットのためのレガシーコードレートより低い、Ｃ２４に記載の装置。
［Ｃ２７］
前記データパケットは、２個のシンボルより長いロングトレーニングフィールドを含み、ここにおいて、前記ロングトレーニングフィールドは、前記データパケットの中の信号フィールドに先行する、Ｃ２３に記載の装置。
［Ｃ２８］
装置であって、
米国電気電子学会（ＩＥＥＥ）８０２．１１の無線ネットワークを介して送信されるためのデータパケットを生成するための手段と、ここにおいて、前記データパケットは、前記データパケットの中で複製される複数のデータシンボルを含み、前記データパケットのプリアンブルの少なくとも一部は、前記データパケットの中で複製されず、前記プリアンブルの前記一部は、前記パケットが、低レートモードのパケットであることを示し、
前記無線ネットワークを介して前記データパケットを送信するための手段と、
を備える、装置。
［Ｃ２９］
前記データパケットは、ノンレガシープリアンブルに先行するレガシープリアンブルを含み、ここにおいて、前記ノンレガシープリアンブルは、前記パケットが前記低レートモードのパケットであることを示し、前記レガシープリアンブルは、レガシーデバイスに、前記データパケットが通信される時間期間の間、前記無線ネットワークを介して通信することを控えさせるために前記レガシーデバイスによってデコード可能である、Ｃ２８に記載の装置。
［Ｃ３０］
前記無線ネットワークは、高効率Ｗｉ−Ｆｉ（ＨＥＷ）無線ネットワークを備え、前記レガシーデバイスは、ＩＥＥＥ  ８０２．１１ａ規格、ＩＥＥＥ  ８０２．１１ｇ規格、ＩＥＥＥ  ８０２．１１ｎ規格、ＩＥＥＥ  ８０２．１１ａｃ規格、または任意のそれらの組み合わせと互換性がある、Ｃ２９に記載の装置。